(57)【要約】      （修正有）【課題】２組のクランプ装置によっても充分な反力を得ることができる鋼管杭圧入引抜機及び鋼管杭圧入引抜工法を提供する。【解決手段】クランプ装置を、前部クランプ装置３ａと後部クランプ装置３ｂから構成し、前部クランプ装置３ａを台座２の下面に固定又は進行方向に対して左右方向に摺動自在に連結するとともに、前部クランプ装置３ａに対して、後部クランプ装置３ｂを、クランプ装置でクランプする鋼管杭１１の１ピッチ以上の距離を進行方向に対して相対的に前後方向に摺動自在に構成した。また、それぞれ相互に継手１３を噛合させて圧入した複数の既設の鋼管杭１１において、既設の鋼管杭１１の先頭の鋼管杭１１ａを前部クランプ装置３ａでクランプするとともに、先頭から３本目の既設の鋼管杭１１ｃを後部クランプ装置３ｂでクランプ可能とした。【選択図】図６
2013160008.tif 000002
【特許請求の範囲】
【請求項１】
下方にクランプ装置を配設して既設の鋼管杭上に定置される台座と、該台座上にスライド自在に配備されたスライドベースの上方にあって縦軸を中心として回動自在に立設されたガイドフレームと、該ガイドフレームに昇降自在に装着されて杭圧入引抜シリンダが取り付けられた昇降体と、昇降体の下方に配備された旋回自在なチャック装置とを備えた鋼管杭圧入引抜機において、
上記クランプ装置を、前部クランプ装置と後部クランプ装置から構成し、前部クランプ装置を台座の下面に固定又は進行方向に対して左右方向に摺動自在に連結するとともに、前部クランプ装置に対して、後部クランプ装置を、クランプ装置でクランプする鋼管杭の１ピッチ以上の距離を進行方向に対して相対的に前後方向に摺動自在に構成したことを特徴とする鋼管杭圧入引抜機。
【請求項２】
後部クランプ装置に連結したシリンダ装置によって、前部クランプ装置に対して後部クランプ装置を摺動自在とした請求項１記載の鋼管杭圧入引抜機。
【請求項３】
シリンダ装置として多段シリンダを使用した請求項２記載の鋼管杭圧入引抜機。
【請求項４】
それぞれ相互に継手を噛合させて圧入した複数の既設の鋼管杭において、前部クランプ装置でクランプした既設の鋼管杭から１本以上離間した既設の鋼管杭を後部クランプ装置でクランプ可能とした請求項１，２又は３記載の鋼管杭圧入引抜機。
【請求項５】
それぞれ相互に継手を噛合させて圧入した複数の既設の鋼管杭において、既設の鋼管杭の先頭の鋼管杭を前部クランプ装置でクランプするとともに、先頭から３本目の既設の鋼管杭を後部クランプ装置でクランプ可能とした請求項１，２又は３記載の鋼管杭圧入引抜機。
【請求項６】
請求項１〜５に記載したいずれかの鋼管杭圧入引抜機を使用して、
それぞれ相互に継手を噛合させて圧入した複数の既設の鋼管杭の内、任意の鋼管杭を前部クランプ装置でクランプするとともに、前部クランプ装置でクランプした既設の鋼管杭から１本以上離間した既設の鋼管杭を後部クランプ装置でクランプすることによって、チャック装置でチャックした圧入・引抜用の鋼管杭の圧入時又は引抜時の反力を得て、圧入・引抜用の鋼管杭の圧入又は引抜作業を行うことを特徴とする鋼管杭圧入引抜工法。
【請求項７】
請求項１〜５に記載したいずれかの鋼管杭圧入引抜機を使用して、
それぞれ相互に継手を噛合させて圧入した複数の既設の鋼管杭の内、先頭の鋼管杭を前部クランプ装置でクランプするとともに、先頭から３本目の既設の鋼管杭を後部クランプ装置でクランプすることによって、チャック装置でチャックした圧入・引抜用の鋼管杭の圧入時又は引抜時の反力を得て、圧入・引抜用の鋼管杭の圧入又は引抜作業を行うことを特徴とする鋼管杭圧入引抜工法。
【請求項８】
請求項１〜５に記載したいずれかの鋼管杭圧入引抜機を使用して、
それぞれ相互に継手を噛合させて圧入した複数の既設の鋼管杭の内、先頭の鋼管杭を前部クランプ装置でクランプするとともに、先頭から２本目の既設の鋼管杭又は先頭から３本目の既設の鋼管杭のいずれかを選択し、該選択した鋼管杭を後部クランプ装置でクランプすることによって、チャック装置でチャックした圧入・引抜用の鋼管杭の圧入時又は引抜時の反力を得て、圧入・引抜用の鋼管杭の圧入又は引抜作業を行うことを特徴とする鋼管杭圧入引抜工法。
【発明の詳細な説明】
【技術分野】
【０００１】
本発明は既設の鋼管杭上に定置し、該鋼管杭から反力を得ることによって新たな鋼管杭を地盤内に圧入，引抜する鋼管杭圧入引抜機及び鋼管杭圧入引抜工法に関し、特には２組のクランプ装置によって、３組のクランプ装置と同等の反力を得るものである。
【背景技術】
【０００２】
各種の土木基礎工事において、それぞれ相互に継手を噛合させて地盤に施工する鋼管杭は、複数の鋼管杭が連続するため、大きな支持力が得られるとともに経済性に優れている。そのため、永久構造物の外にも護岸工事及び山留め工事、締切り工事等の仮設工事の支持杭として広く採用されている。近年、これらの鋼管杭の地盤への施工工事は、騒音が少なく、上空制限の影響を受けない静荷重型鋼管杭圧入機が多く用いられている。
【０００３】
この静荷重型鋼管杭圧入引抜機は、既設の鋼管杭上に定置された台座の下方に複数のクランプ装置（反力掴み装置）を設け、このクランプ装置により既設の鋼管杭をクランプすることによって鋼管杭の圧入，引抜時の反力を得ている。このクランプ装置は台座の下面にあって、２組（特許文献１）又は３組（特許文献２）設けられている。更に、進行方向先頭のクランプ装置は左右方向に摺動自在に設けられ、残りのクランプ装置は前後及び左右方向に摺動自在に取り付けられている。これはカーブ施工において圧入する鋼管杭の進行方向法線に対するクランプ装置の左右方向への「ずれ」に対する位置合わせと、クランプ装置が既設の鋼管杭に圧接する際に発生するクリアランス分の移動をスムーズに行わせるための機構を構成している。
【先行技術文献】
【特許文献】
【０００４】
【特許文献１】特許第３５３６０３３号
【特許文献２】特開平０２−７４７１９号
【発明の概要】
【発明が解決しようとする課題】
【０００５】
特許文献１に示すような２組のクランプ装置によれば、鋼管杭圧入引抜機自体の小型化を図るとともに機構を簡素化して機械重量も低減させることができる。しかしながら、圧入，引抜作業を行う地盤によっては反力不足を生じ、鋼管杭の圧入に支障を来すこととなる。
【０００６】
一方、特許文献２に示すような３組のクランプ装置によれば、得られる反力を増大させることはできるが、鋼管杭圧入引抜機自体が大型化することとなり、機構が複雑化して機械重量も増大し、製作コストが高騰してしまうという課題がある。
【０００７】
特に鋼管杭圧入引抜機自体が大型化することにより、建設現場への鋼管杭圧入引抜機本体の搬入には大型のクレーンを用いるか、鋼管杭圧入引抜機本体を分割して搬入してから現場で組み立てる作業が必要であり、広い現場スペースが要求されるとともに作業の煩雑化と効率低下を招来し、施工計画がスムーズに進行しないケースが生じるという問題がある。
【０００８】
そこで本発明はこのような従来の鋼管杭圧入引抜機が有している課題を解消するために、圧入引抜機自体の大型化を防止するとともに機構を簡素化して、機械重量も低減するために、２組のクランプ装置を使用するとともに、２組のクランプ装置によっても充分な反力を得ることができる鋼管杭圧入引抜機及び鋼管杭圧入引抜工法を提供することを目的とするものである。
【課題を解決するための手段】
【０００９】
本発明は上記課題を解決するために、下方にクランプ装置を配設して既設の鋼管杭上に定置される台座と、該台座上にスライド自在に配備されたスライドベースの上方にあって縦軸を中心として回動自在に立設されたガイドフレームと、該ガイドフレームに昇降自在に装着されて杭圧入引抜シリンダが取り付けられた昇降体と、昇降体の下方に配備された旋回自在なチャック装置とを備えた鋼管杭圧入引抜機において、上記クランプ装置を、前部クランプ装置と後部クランプ装置から構成し、前部クランプ装置を台座の下面に固定又は進行方向に対して左右方向に摺動自在に連結するとともに、前部クランプ装置に対して、後部クランプ装置を、クランプ装置でクランプする鋼管杭の１ピッチ以上の距離を進行方向に対して相対的に前後方向に摺動自在に構成した鋼管杭圧入引抜機を基本として提供する。
【００１０】
そして、後部クランプ装置に連結したシリンダ装置によって、前部クランプ装置に対して後部クランプ装置を摺動自在とし、シリンダ装置として多段シリンダを使用する。また、それぞれ相互に継手を噛合させて圧入した複数の既設の鋼管杭において、前部クランプ装置でクランプした既設の鋼管杭から１本以上離間した既設の鋼管杭を後部クランプ装置でクランプ可能とした。更に、それぞれ相互に継手を噛合させて圧入した複数の既設の鋼管杭において、既設の鋼管杭の先頭の鋼管杭を前部クランプ装置でクランプするとともに、先頭から３本目の既設の鋼管杭を後部クランプ装置でクランプ可能とした。
【００１１】
上記した鋼管杭圧入引抜機を使用して、それぞれ相互に継手を噛合させて圧入した複数の既設の鋼管杭の内、任意の鋼管杭を前部クランプ装置でクランプするとともに、前部クランプ装置でクランプした既設の鋼管杭から１本以上離間した既設の鋼管杭を後部クランプ装置でクランプすることによって、チャック装置でチャックした圧入・引抜用の鋼管杭の圧入時又は引抜時の反力を得て、圧入・引抜用の鋼管杭の圧入又は引抜作業を行う鋼管杭圧入引抜工法を提供する。
【００１２】
また、上記した鋼管杭圧入引抜機を使用して、それぞれ相互に継手を噛合させて圧入した複数の既設の鋼管杭の内、先頭の鋼管杭を前部クランプ装置でクランプするとともに、先頭から３本目の既設の鋼管杭を後部クランプ装置でクランプすることによって、チャック装置でチャックした圧入・引抜用の鋼管杭の圧入時又は引抜時の反力を得て、圧入・引抜用の鋼管杭の圧入又は引抜作業を行う鋼管杭圧入引抜工法を提供する。
【００１３】
更に、上記した鋼管杭圧入引抜機を使用して、それぞれ相互に継手を噛合させて圧入した複数の既設の鋼管杭の内、先頭の鋼管杭を前部クランプ装置でクランプするとともに、先頭から２本目の既設の鋼管杭又は先頭から３本目の既設の鋼管杭のいずれかを選択し、該選択した鋼管杭を後部クランプ装置でクランプすることによって、チャック装置でチャックした圧入・引抜用の鋼管杭の圧入時又は引抜時の反力を得て、圧入・引抜用の鋼管杭の圧入又は引抜作業を行う鋼管杭圧入引抜工法を提供する。
【発明の効果】
【００１４】
上記した鋼管杭圧入引抜機によれば、反力を前部クランプ装置と後部クランプ装置の２組のクランプ装置によって得ることにより、３組のクランプ装置を採用する鋼管杭圧入引抜機に対して、鋼管杭圧入引抜機自体をコンパクトに小型化することができ、重量も軽減することができる。そのため、現場への搬入・設置及び取扱が容易であり、作業の効率化を図ることができる。
【００１５】
そして、前部クランプ装置に対して、後部クランプ装置を、クランプ装置でクランプする鋼管杭の１ピッチ以上の距離を相対的に前後方向に摺動自在に構成してあるため、反力を得るための既設の鋼管杭の先頭の鋼管杭を前部クランプ装置でクランプし、先頭の鋼管杭から１本飛ばした３本目の既設の鋼管杭を後部クランプ装置でクランプすることにより、反力を得ることができる。既設の鋼管杭はそれぞれ相互に継手を噛合させて圧入されているため、先頭の鋼管杭と３本目の鋼管杭をクランプすることによって、３組のクランプ装置を使用して先頭，２本目，３本目の合計３本の鋼管杭をクランプして得られる反力と同等の反力を得ることができる。そのため、２組のクランプ装置によっても充分な反力を得ることができる。
【００１６】
更に、前部クランプ装置と後部クランプ装置は連続した既設の鋼管杭をクランプすることも、１本飛ばした既設の鋼管杭をクランプすることも自由に選択できるため、施工場所や施工内容に応じて適応した反力を得ることが可能であり、施工内容の汎用性が高い。
【図面の簡単な説明】
【００１７】
【図１】本発明を適用した鋼管杭圧入引抜機を全体的に示す側面図。
【図２】図１の平面図。
【図３】図１のＡ−Ａ線に沿う断面図。
【図４】本発明にかかるシリンダ装置の部分断面図。
【図５】作業状態を示す側面図。
【図６】作業状態を示す側面図。
【図７】鋼管杭を直線状に圧入する作業状態を示す概略平面図。
【図８】鋼管杭を直角方向に圧入する作業状態を示す概略平面図。
【図９】鋼管杭を曲線状にカーブしている既設の鋼管杭に沿って圧入する作業姿勢を示す概略平面図。
【発明を実施するための形態】
【００１８】
以下図面に基づいて本発明にかかる鋼管杭圧入引抜機及び鋼管杭圧入引抜工法の具体的な実施形態を説明する。図１は本発明を適用した鋼管杭圧入引抜機１を全体的に示す側面図、図２は同平面図であり、２は台座、３は台座２の下部に配設されて既設の鋼管杭をクランプするクランプ装置（反力掴み装置）である。このクランプ装置３は前部クランプ装置３ａと後部クランプ装置３ｂとに分割構成されている。前部クランプ装置３ａは台座２の下面に固定又は進行方向に対して左右方向に摺動自在に連結されている。後部クランプ装置３ｂは台座２の下面にあって、前部クランプ装置３ａに対して、既設の鋼管杭１１の１ピッチ以上の距離を進行方向に対して相対的に前後方向に摺動自在に構成されている。Ｆは鋼管杭圧入引抜機１の進行方向を示す。
【００１９】
台座２上には鋼管杭圧入引抜機１の進行方向に沿って摺動自在にスライドベース４が配備されており、このスライドベース４上には支持アーム５が縦軸を中心として回動自在に軸支され、この支持アーム５の前部に設けた軸受部６ａを中心として回動可能なガイドフレーム６が立設されている。このガイドフレーム６は、一端が支持アーム５に軸支された傾動シリンダ（図示略）の伸縮によって軸受部６ａを中心として傾動可能となっている。
【００２０】
上記ガイドフレーム６には昇降体８が昇降自在に装着されている。該昇降体８の両側には左右一対の鋼管杭圧入引抜シリンダ９，９が取り付けられていて、この鋼管杭圧入引抜シリンダ９，９の一端が前記軸受部６ａに軸支されており、昇降体８を上下駆動するように構成されている。
【００２１】
昇降体８の下方には、チャック装置（鋼管杭掴み装置）１０が昇降体８に対して旋回自在に配備されている。このチャック装置１０の内壁面には２個の固定側チャック爪と、該固定側チャック爪と対向する位置に２個の可動側チャック爪とが配置されていて、チャック装置１０に内蔵されたチャックシリンダの押圧力により可動側チャック爪を用いて圧入・引抜用の鋼管杭１２の外周を円筒方向から固定側チャック爪方向に押動して圧入・引抜用の鋼管杭１２を４方向からチャックし、地盤への圧入と引抜を行う。これらのチャック装置１０の構成は公知の構成である。
【００２２】
図３は図１のＡ−Ａ線に沿う断面図であり、後部クランプ装置３ｂと台座２との間に、一端が台座２側に連結され、他端が後部クランプ装置３ｂに連結されたシリンダ装置７が配設されている。図示例では、シリンダ装置７のロッド側取付部７ｅを後部クランプ装置３ｂに、シリンダ装置７のヘッド側端部７ｆを台座２に連結しているが、シリンダ装置７のロッド側取付部７ｅを台座２に連結し、シリンダ装置７のヘッド側端部７ｆを後部クランプ装置３ｂに連結するようにしてもよい。このシリンダ装置７によって、後部クランプ装置３ｂを進行方向Ｆに対して前後方向に摺動させることができる。なお、前記したように前部クランプ装置３ａは台座２の下面に固定又は進行方向に対して左右方向に摺動自在に連結されている。
【００２３】
図４はシリンダ装置７の部分断面図であり、シリンダ装置７として、多段シリンダを使用した。このシリンダ装置７は、シリンダ孔が形成される第１シリンダ７ａと、この第１シリンダ７ａのシリンダ孔内に摺動可能に挿入される第１ピストン７ｂと、この第１ピストン７ｂに連設され前記第１シリンダ７ａに対して出入可能であり内部にシリンダ孔が形成される第２シリンダ７ｃと、この第２シリンダ７ｃ外周と前記第１シリンダ７ａのシリンダ孔と前記第１ピストン７ｂとにより区画される加圧室と、前記第２シリンダ７ｃのシリンダ孔内を摺動可能であり前記加圧室からの圧液を受けて前記第２シリンダ７ｃに対して出入する第２ピストン７ｄとを備えている。
【００２４】
前部クランプ装置３ａ及び後部クランプ装置３ｂは、それぞれ２分割構成され、内蔵されたクランプシリンダ１４の一端が２分割された部材の一方側に固定されているとともに、他端が他方側に固定されている。よって、クランプシリンダ１４の伸長に伴って既設の鋼管杭の内面に前部クランプ装置３ａ及び後部クランプ装置３ｂが圧接して、摩擦抵抗により鋼管杭圧入引抜機１を既設の鋼管杭１１上に固定し、圧入・引抜用の鋼管杭１２の圧入・引抜時の反力を得るように構成されている。これらの前部クランプ装置３ａ及び後部クランプ装置３ｂの既設の鋼管杭１１をクランプするための構成は公知の構成である。
【００２５】
図５は作業状態を示す側面図である。図５では鋼管杭圧入引抜機１の前部クランプ装置３ａと後部クランプ装置３ｂのクランプシリンダ１４を用いて既設の鋼管杭１１の内、先頭の鋼管杭１１ａを前部クランプ装置３ａでクランプするとともに、先頭から２本目の鋼管杭１１ｂを後部クランプ装置３ｂでクランプした状態を示している。即ち、図５に示す状態では、鋼管杭圧入引抜機１は既設の鋼管杭の先頭の鋼管杭１１ａと２本目の鋼管杭１１ｂに固定することによって、圧入・引抜用の鋼管杭１２の圧入・引抜時の反力を得ている。なお、既設の鋼管杭１１はそれぞれ相互に継手１３を噛合させて圧入されている。
【００２６】
このときシリンダ装置７の第１ピストン７ｂ及び第２ピストン７ｄを縮小させて、前部クランプ装置３ａと後部クランプ装置３ｂの間隔ｄを調節し、前部クランプ装置３ａが既設の鋼管杭１１の内、先頭の鋼管杭１１ａ上に、又後部クランプ装置３ｂが２本目の鋼管杭１１ｂ上に位置するように設定している。
【００２７】
また、後部クランプ装置３ｂはシリンダ装置７の第１ピストン７ｂ及び第２ピストン７ｄを伸長させることにより、前部クランプ装置３ａに対して、後部クランプ装置３ｂを既設の鋼管杭１１の１ピッチ以上の距離を相対的に前後方向に摺動させることができる。この動作により、前部クランプ装置３ａと後部クランプ装置３ｂの間隔ｄを調節し、前部クランプ装置３ａが既設の鋼管杭１１の内、先頭の鋼管杭１１ａ上に、又後部クランプ装置３ｂが３本目の鋼管杭１１ｃ上に位置するように設定することができる。
【００２８】
図６は後部クランプ装置３ｂを摺動させた状態の作業状態を示す側面図である。図６では鋼管杭圧入引抜機１の前部クランプ装置３ａと後部クランプ装置３ｂの前記クランプシリンダ１４を用いて既設の鋼管杭１１の内、先頭の鋼管杭１１ａを前部クランプ装置３ａでクランプするとともに、先頭から３本目の鋼管杭１１ｃを後部クランプ装置３ｂでクランプした状態を示している。即ち、図６に示す状態では、鋼管杭圧入引抜機１は既設の鋼管杭の先頭の鋼管杭１１ａと３本目の鋼管杭１１ｃに固定することによって、圧入・引抜用の鋼管杭１２の圧入・引抜時の反力を得ることができる。
【００２９】
図６に示すように、後部クランプ装置３ｂを前部クランプ装置３ａに対して相対的に前後方向に摺動自在に構成することにより、前部クランプ装置３ａに対して、後部クランプ装置３ｂを既設の鋼管杭１１の１ピッチ以上の距離を移動させた状態に配置することが本発明の特徴である。これにより、圧入・引抜用の鋼管杭１２の圧入・引抜時の反力を既設の鋼管杭１１の内、先頭の鋼管杭１１ａと２本目の鋼管杭１１ｂをクランプすること、或いは先頭の鋼管杭１１ａと３本目の鋼管杭１１ｃをクランプすることのいずれかを選択することができる。
【００３０】
よって、それぞれ相互に継手１３を噛合させて圧入した複数の既設の鋼管杭１１（１１ａ，１１ｂ，１１ｃ）の内、先頭の鋼管杭１１ａを前部クランプ装置３ａでクランプするとともに、先頭から３本目の既設の鋼管杭１１ｃを後部クランプ装置３ｂでクランプすることによって、チャック装置でチャックした圧入・引抜用の鋼管杭１２の圧入時又は引抜時の反力を得て、圧入・引抜用の鋼管杭１２の圧入又は引抜作業を行うことができる。更に、それぞれ相互に継手１３を噛合させて圧入した複数の既設の鋼管杭１１の内、先頭の鋼管杭１１ａを前部クランプ装置３ａでクランプするとともに、先頭から２本目の既設の鋼管杭１１ｂ又は先頭から３本目の既設の鋼管杭１１ｃのいずれかを選択し、該選択した鋼管杭１１ｂ又は１１ｃを後部クランプ装置３ｂでクランプすることによって、チャック装置１０でチャックした圧入・引抜用の鋼管杭１２の圧入時又は引抜時の反力を得て、圧入・引抜用の鋼管杭１２の圧入又は引抜作業を行うことができる。
【００３１】
また、前部クランプ装置３ａでクランプする既設の鋼管杭１１は先頭の鋼管杭１１ａに限ることなく、圧入・引抜用の鋼管杭１２の施工場所に応じて任意の既設の鋼管杭をクランプすることができ、後部クランプ装置３ｂは前部クランプ装置３ａがクランプした既設の鋼管杭に連続する既設の鋼管杭１１ｂ又は１本飛ばした既設の鋼管杭１１ｃをクランプすることができる。
【００３２】
具体的には、圧入・引抜用の鋼管杭１２を直線的に圧入する例を示す図７において、或いは圧入した鋼管杭１２から直角方向に連続して鋼管杭１２ａを圧入する例を示す図８においては、相互に継手を噛合させて圧入した既設の鋼管杭１１の３本の鋼管杭１１ａ，１１ｂ，１１ｃから反力を得るために、前部クランプ装置３ａで先頭の鋼管杭１１ａをクランプし、後部クランプ装置３ｂは進行方向先頭の鋼管杭１１ａから３本目の鋼管杭１１ｃをクランプして作業を行う。
【００３３】
また、曲線状にカーブして圧入・引抜用の鋼管杭１２を施工する例を示す図９においては、相互に継手を噛合させて圧入した既設の鋼管杭１１の内、前部クランプ装置３ａで先頭の鋼管杭１１ａをクランプし、後部クランプ装置３ｂは進行方向先頭の鋼管杭１１ａに連続する２本目の鋼管杭１１ｂをクランプして作業を行う。このように作業内容に応じて後部クランプ装置３ｂを前部クランプ装置３ａに対して摺動移動させることにより、前部クランプ装置３ａと後部クランプ装置３ｂという２組のクランプ装置３を使用して、クランプする既設の鋼管杭を選択することが可能である。
【産業上の利用可能性】
【００３４】
上記した鋼管杭圧入引抜機によれば、反力を前部クランプ装置と後部クランプ装置の２組のクランプ装置によって得ることにより、３組のクランプ装置を採用する鋼管杭圧入引抜機に対して、鋼管杭圧入引抜機自体をコンパクトに小型化することができ、重量も軽減することができる。そのため、現場への搬入・設置及び取扱が容易であり、作業の効率化を図ることができる。
【００３５】
そして、前部クランプ装置に対して、後部クランプ装置を、クランプ装置でクランプする鋼管杭の１ピッチ以上の距離を相対的に前後方向に摺動自在に構成してあるため、反力を得るための既設の鋼管杭の先頭の鋼管杭を前部クランプ装置でクランプし、先頭の鋼管杭から１本飛ばした３本目の既設の鋼管杭を後部クランプ装置でクランプすることにより、反力を得ることができる。既設の鋼管杭はそれぞれ相互に継手を噛合させて圧入されているため、先頭の鋼管杭と３本目の鋼管杭をクランプすることによって、３組のクランプ装置を使用して先頭，２本目，３本目の合計３本の鋼管杭をクランプして得られる反力と同等の反力を得ることができる。そのため、２組のクランプ装置によっても充分な反力を得ることができる。
【００３６】
更に、前部クランプ装置と後部クランプ装置は連続した既設の鋼管杭をクランプすることも、１本飛ばした既設の鋼管杭をクランプすることも自由に選択できるため、施工場所や施工内容に応じて適応した反力を得ることが可能であり、施工内容の汎用性が高い。
【符号の説明】
【００３７】
１…鋼管杭圧入引抜機
２…台座
３…クランプ装置
３ａ…前部クランプ装置
３ｂ…後部クランプ装置
４…スライドベース
５…支持アーム
６…ガイドフレーム
６ａ…軸受部
７…シリンダ装置
８…昇降体
９…鋼管杭圧入引抜シリンダ
１０…チャック装置
１１…既設の鋼管杭
１１ａ…既設の鋼管杭の先頭の鋼管杭
１１ｂ…先頭の既設の鋼管杭から２本目の鋼管杭
１１ｃ…先頭の既設の鋼管杭から３本目の鋼管杭
１２…圧入・引抜用の鋼管杭
１３…継手
１４…クランプシリンダ
【図１】
2013160008.tif 000003
【図２】
2013160008.tif 000004
【図３】
2013160008.tif 000005
【図４】
2013160008.tif 000006
【図５】
2013160008.tif 000007
【図６】
2013160008.tif 000008
【図７】
2013160008.tif 000009
【図８】
2013160008.tif 000010
【図９】
2013160008.tif 000011